(57)【要約】【課題】記憶媒体に記憶された音声映像データの視聴や整理を容易に行なえるようにする。【解決手段】ＨＤドライブ（記憶手段）２５に記憶された複数の音声映像データの再生予約を、操作部（予約手段）２４を用いた設定操作で１回で行なえるようにする。ＯＳＤ処理部１８は、予約された音声映像データの予約情報を予約表示画面３の、該音声映像データの取得日時データに対応した位置に表示する。予約表示画面３に表示される予約情報は、過去の出力の有無や、複数の音声映像データを出力する際の個々の音声映像データの再生順序を含む。【選択図】　図４
2004048613.tif 000002
【特許請求の範囲】
【請求項１】
音声映像データを含んで送信されるテレビ放送信号を受信し、該音声映像データの記憶及び出力を行なうテレビ放送受信装置において、
前記音声映像データを含んで送信されるテレビ放送信号を受信する受信手段と、
前記テレビ放送信号から前記音声映像データを取得する取得手段と、
前記取得手段が取得した音声映像データを記憶する記憶手段と、
前記取得手段による前記音声映像データの取得及び前記記憶手段による該音声映像データの記憶を予約するための第一予約情報と、前記記憶手段に記憶された音声映像データの出力を予約するための第二予約情報と、を取得する予約手段と、
前記第一予約情報に基づいて前記取得手段による前記音声映像データの取得及び前記記憶手段による該音声画像データの記憶を行ない、且つ前記第二予約情報に基づいて前記記憶手段による前記音声映像データの出力を行なう制御手段と、時間軸により規定された領域に前記第一予約情報及び前記第二予約情報を表示する予約表示画面を作成して出力する予約表示画面作成手段と、
前記時間軸の時間幅と起点とを設定する時間軸設定手段と、を備え、
前記第一予約情報は、前記音声映像データの取得日時データを含み、
前記予約表示画面作成手段は、前記第一予約情報及び前記第二予約情報を、前記領域内の該当する音声映像データの取得日時データに対応した位置に表示する形態で前記予約表示画面を作成し、
前記予約手段は、前記予約表示画面作成手段が前記予約表示画面を出力している時に前記第二予約情報を取得するとともに、
前記第二予約情報は、前記音声映像データの過去の出力の有無を示す出力有無データと、複数の音声映像データの出力が予約されている場合に個々の音声映像データを出力する順序を示す出力順データと、を含むことを特徴とするテレビ放送受信装置。
【請求項２】
音声映像データを含んで送信されるテレビ放送信号を受信し、該音声映像データの記憶及び出力を行なうテレビ放送受信装置において、
前記音声映像データを含んで送信されるテレビ放送信号を受信する受信手段と、
前記テレビ放送信号から前記音声映像データを取得する取得手段と、
前記取得手段が取得した音声映像データを記憶する記憶手段と、
前記取得手段による前記音声映像データの取得及び前記記憶手段による該音声映像データの記憶を予約するための第一予約情報と、前記記憶手段に記憶された音声映像データの出力を予約するための第二予約情報と、を取得する予約手段と、
前記第一予約情報に基づいて前記取得手段による前記音声映像データの取得及び前記記憶手段による該音声画像データの記憶を行ない、且つ前記第二予約情報に基づいて前記記憶手段による前記音声映像データの出力を行なう制御手段と、時間軸により規定された領域に前記第一予約情報及び前記第二予約情報を表示する予約表示画面を作成して出力する予約表示画面作成手段と、を備え、
前記第一予約情報は、前記音声映像データの取得日時データを含み、
前記予約表示画面作成手段は、前記第一予約情報及び前記第二予約情報を、前記領域内の該当する音声映像データの取得日時データに対応した位置に表示する形態で前記予約表示画面を作成するとともに、
前記第二予約データは、前記音声映像データの過去の出力の有無を示す出力有無データと、複数の音声映像データの出力が予約されている場合に個々の音声映像データを出力する順序を示す出力順データと、を含むことを特徴とするテレビ放送受信装置。
【請求項３】
前記時間軸の時間幅と起点とを設定する時間軸設定手段を備えることを特徴とする請求項２に記載のテレビ放送受信装置。
【請求項４】
前記予約手段は、前記予約表示画面作成手段が前記予約表示画面を出力している時に前記第二予約情報を取得することを特徴とする請求項２に記載のテレビ放送受信装置。
【発明の詳細な説明】
【０００１】
【発明の属する技術分野】
本発明は、番組の受信、録画、再生を予約するための番組予約表示装置に関する。
【０００２】
【従来の技術】
近年、テレビ放送においては、これまで主として用いられてきた地上波のアナログ放送技術に代えて、地上波のデジタル放送の他、通信衛星（ＣＳ；Ｃｏｍｍｕｎｉｃａｔｉｏｎｓ　Ｓａｔｅｌｌｉｔｅ）や放送衛星（ＢＳ；Ｂｒｏａｄｃａｓｔ　Ｓａｔｅｌｌｉｔｅ）を介してデジタル信号を伝送するデジタル放送技術が急速に普及しつつある。
【０００３】
デジタル放送では、画像データや音声データ等を圧縮すると共に多重化して放送するので、チャンネル数および番組数が極めて多い。一方、デジタル放送では、各々のチャンネルに対応する画像データや音声データ等と共に、放送する番組のジャンルや放送時間などに関する電子番組ガイド（ＥＰＧ；Ｅｌｅｃｔｒｉｃａｌ　Ｐｒｏｇｒａｍ　Ｇｕｉｄｅ）や文字放送等の情報も送信される。
【０００４】
一方、テレビ放送を受信して録画、再生するためのテレビ放送受信装置では、ハードディスク（ＨＤ）やＤＶＤ―ＲＷ、ＤＶＤ＋ＲＷといったディスク型の記録媒体にテレビ放送の音声信号、画像信号を記録して録画する形態のものが普及するようになった。これらディスク型の記録媒体は、ランダムアクセスによる信号の読み書きが可能であり、録画内容を容易に確認できるという特長がある。
【０００５】
ディスク型記録媒体の特長を生かし、ＥＰＧ等を利用して、放送を視聴、録画するための操作をユーザが容易に行なえるよう、放送の受信、録画の内容を表示するための番組予約表示装置がこれまでに提供されている。
【０００６】
例えば、特開２００１−５４０４２、特開２００１−３３９６９６には、テレビ等の画像出力装置に録画予約した番組や録画した番組の一覧をＥＰＧをもとに表示する番組予約表示機能を有したテレビ放送受信装置が開示されている。しかし、これらのテレビ放送受信装置では、録画予約した番組及び録画した番組は、一覧では実際に録画される順番に関係なく録画予約された順番に番組が表示されており、ユーザが番組の録画日時を速やかに認識することができなかった。
【０００７】
また、特開２０００−２７８６３９には、ＥＰＧをもとにして画像出力装置にカレンダーを表示し、このカレンダー上に録画予約した番組や録画した番組を表示するテレビ放送受信装置が開示されている。しかし、このテレビ放送受信装置では、番組の録画実績は表示されるが、録画した番組の再生実績については表示されなかった。そのため、記録媒体上に多数の番組を録画した場合には、録画した番組のうち、再生済みの番組と未再生の番組とが表示では区別できず、記録媒体に記憶された音声データ、画像データの整理が煩雑になるという問題があった。
【０００８】
【発明が解決しようとする課題】
本発明の課題は、テレビ放送受信装置により音声映像データが取得された番組の視聴や、記憶媒体に記憶された音声映像データの整理を容易にすることである。
【０００９】
【課題を解決するための手段】
本発明は、このような課題を解決するために、次のような特徴を備えている。なお、次に示す手段の説明中、括弧書きにより実施の形態に対応する構成を一例として示す。符号等は、後述する図面参照符号等である。
【００１０】
請求項１に記載の発明は、音声映像データを含んで送信されるテレビ放送信号を受信し、該音声映像データの記憶及び出力を行なうテレビ放送受信装置において、
前記音声映像データを含んで送信されるテレビ放送信号を受信する受信手段（例えば、図１に示すチューナ１２）と、
前記テレビ放送信号から前記音声映像データを取得する取得手段（例えば、図１に示すデマルチプレクサ１５）と、
前記取得手段が取得した音声映像データを記憶する記憶手段（例えば、図１に示すＨＤドライブ２５）と、
前記取得手段による前記音声映像データの取得と前記記憶手段による該音声映像データの記憶とを予約するための第一予約情報と、前記記憶手段に記憶された音声映像データの出力を予約するための第二予約情報と、を取得する予約手段（例えば、図１に示す操作部２４）と、
前記第一予約情報に基づいて前記取得手段による前記音声映像データの取得及び前記記憶手段による該音声画像データの記憶を行ない、且つ前記第二予約情報に基づいて前記記憶手段による前記音声映像データの出力を行なう制御手段（例えば、図１に示すシステム制御部２３）と、
時間軸により規定された領域（例えば、図２〜図６に示すカレンダー部１００）に前記第一予約情報及び前記第二予約情報を表示する予約表示画面（例えば、図２〜図６に示す予約表示画面３）を作成して出力する予約表示画面作成手段（例えば、図１に示すＯＳＤ処理部１８）と、
前記時間軸の時間幅と起点とを設定する時間軸設定手段（例えば、図１に示す操作部２４）と、を備え、
前記第一予約情報は、前記音声映像データの取得日時データを含み、
前記予約表示画面作成手段は、前記第一予約情報及び前記第二予約情報を、前記領域内の該当する音声映像データの取得日時データに対応した位置に表示する形態で前記予約表示画面を作成し、
前記予約手段は、前記予約表示画面作成手段が前記予約表示画面を出力している時に前記第二予約情報を取得するとともに、
前記第二予約情報は、前記音声映像データの過去の出力の有無を示す出力有無データと、複数の音声映像データの出力が予約されている場合に個々の音声映像データを出力する順序を示す出力順データと、を含むことを特徴とするテレビ放送受信装置。
【００１１】
請求項１に記載の発明によれば、第一予約情報及び第二予約情報は時間軸に規定された領域の該当する音声映像データの取得日時に対応した位置に表示されるので、ユーザが音声映像データの取得や再生の予約時、第一予約情報及び第二予約情報を速やか且つ正確に認識することができる。
【００１２】
また、上記時間軸は、時間軸設定手段によって変更自在なので、ユーザは第一予約情報及び第二予約情報を目視しやすい形態に時間軸を設定することで、より速やかにこれらの予約情報を認識できる。
【００１３】
また、ユーザは、予約表示画面で記憶手段に記憶された音声映像データが既に出力されているか否かといった情報を認識しながら音声映像データの再生予約や音声映像データの削除を行なうことができる。このことで、上記音声映像データの視聴や整理の際、音声映像データを既に視聴したかどうかといった事項を、ユーザは容易且つ正確に認識することができる。
【００１４】
それに加えて、請求項１に記載の発明に係るテレビ放送受信装置では、１度に複数の音声映像データの再生を、個々の音声映像データの再生順序を指定して予約できるので、例えば、ドラマ番組の様な内容の連続した番組を容易に視聴することができる。さらに、上記再生順序は予約表示画面の、音声映像データの取得日時に対応した位置に表示されるので、複数の音声映像データの再生予約を容易且つ正確に行なうことができる。
【００１５】
これらのことにより、請求項１に記載の発明によれば、テレビ放送受信装置により音声映像データが取得された番組の視聴や、記憶媒体に記憶された音声映像データの整理を容易に行なうことができる。
【００１６】
請求項２に記載の発明は、音声映像データを含んで送信されるテレビ放送信号を受信し、該音声映像データの記憶及び出力を行なうテレビ放送受信装置において、
前記音声映像データを含んで送信されるテレビ放送信号を受信する受信手段（例えば、図１に示すチューナ１２）と、
前記テレビ放送信号から前記音声映像データを取得する取得手段（例えば、図１に示すデマルチプレクサ１５）と、
前記取得手段が取得した音声映像データを記憶する記憶手段（例えば、図１に示すＨＤドライブ２５）と、
前記取得手段による前記音声映像データの取得と前記記憶手段による該音声映像データの記憶とを予約するための第一予約情報と、前記記憶手段に記憶された音声映像データの出力を予約するための第二予約情報と、を取得する予約手段（例えば、図１に示す操作部２４）と、
前記第一予約情報に基づいて前記取得手段による前記音声映像データの取得及び前記記憶手段による該音声画像データの記憶を行ない、且つ前記第二予約情報に基づいて前記記憶手段による前記音声映像データの出力を行なう制御手段（例えば、図１に示すシステム制御部２３）と、
時間軸により規定された領域（例えば、図２〜図６に示すカレンダー部１００）に前記第一予約情報及び前記第二予約情報を表示する予約表示画面（例えば、図２〜図６に示す予約表示画面３）を作成して出力する予約表示画面作成手段（例えば、図１に示すＯＳＤ処理部１８）と、を備え、
前記第一予約情報は、前記音声映像データの取得日時データを含み、
前記予約表示画面作成手段は、前記第一予約情報及び前記第二予約情報を、前記領域内の該当する音声映像データの取得日時データに対応した位置に表示する形態で前記予約表示画面を作成するとともに、
前記第二予約データは、前記音声映像データの過去の出力の有無を示す出力有無データと、複数の音声映像データの出力が予約されている場合に個々の音声映像データを出力する順序を示す出力順データと、を含むことを特徴とするテレビ放送受信装置。
【００１７】
請求項２に記載の発明によれば、第一予約情報及び第二予約情報は時間軸に規定された領域の音声映像データの取得日時データに対応した位置に表示される。そのため、ユーザは音声映像データの取得や再生の予約時、第一予約情報及び第二予約情報を速やか且つ正確に認識することができる。それに加えて、１度に複数の音声映像データの再生を、個々の音声映像データの再生順序を指定して予約できる。
【００１８】
これらのことにより、請求項２に記載の発明によれば、テレビ放送受信装置により音声映像データが取得された番組の視聴や、記憶媒体に記憶された音声映像データの整理を容易に行なうことができる。
【００１９】
請求項３に記載の発明は、請求項２に記載のテレビ放送受信装置において、前記時間軸の時間幅と起点とを設定する時間軸設定手段（例えば、図１に示すＯＳＤ処理部１８）を備えることを特徴とする。
【００２０】
請求項３に記載の発明によれば、ユーザは第一予約情報や第二予約情報を目視しやすい形態に時間軸を設定することで、より速やかに予約情報を認識できる。
【００２１】
請求項４に記載の発明は、請求項２に記載のテレビ放送受信装置において、前記予約手段は、前記予約表示画面作成手段が前記予約表示画面を出力している時に前記前記第二予約情報を取得することを特徴とする。
【００２２】
請求項４に記載の発明によれば、ユーザは、音声映像データの第一予約情報及び第二予約情報を目視で認識しながら音声映像データの再生予約や音声映像データの削除を行なうことができる。このことで、記憶手段に記憶された音声映像データの視聴や整理を容易に行なうことができる。
【００２３】
【発明の実施の形態】
以下、本発明の実施の形態を図面に基づいて説明する。図１は、本発明のテレビ放送受信装置を適用したデジタルＳＴＢ（Ｓｅｔｔｏｐ　Ｂｏｘ）１のブロック図である。
【００２４】
本発明を適用したデジタルＳＴＢ１は、デジタルテレビ放送の電波をテレビ放送信号として受信し、このテレビ放送信号から音声映像データを取得し、録画、視聴、再生を行なう装置である。
【００２５】
ここで、録画とは、上記テレビ放送信号から取得された音声映像データをハードディスクのような記憶媒体に記憶させる動作である。視聴とは、取得された音声映像データをハードディスクに記憶させることなくテレビ受像機２のような出力装置に向けて出力する動作である。再生とは、ハードディスクに記憶された音声映像データを読み出して上記出力装置に向けて出力する動作である。
【００２６】
デジタルＳＴＢ１は、テレビアンテナ１１、チューナ１２、復調及びＦＥＣ部１３、デスクランブラ１４、デマルチプレクサ１５、メモリ１６、番組情報復調部１７、ＯＳＤ処理部１８、音声デコーダ１９、映像デコーダ２０、フレームメモリ２１、信号変換回路２２、システム制御部２３、操作部２４、ＨＤドライブ２５等を備えて構成される。
【００２７】
テレビアンテナ１１は放送電波を受信する。チューナ１２は受信手段を形成する。チューナ１２はテレビアンテナ１１が受信した放送電波の中から特定のチャンネルのテレビ放送信号を選択する。
【００２８】
復調及びＦＥＣ部１３は、テレビアンテナ１１が受信したデータ信号の復調及び誤りの訂正処理を行なう。デスクランブラ１４は復調されたデジタル放送信号に負荷されている不正視聴防止用のスクランブル信号を解除する。デマルチプレクサ１５は取得手段であり、音声データと映像データとからなる音声映像データ、番組情報等が多重化されているテレビ放送信号から各データを分離抽出することで、音声映像データを取得する。
【００２９】
音声デコーダ１９は音声映像データから音声データを取得し、デジタル圧縮された音声データをアナログ音声信号にデコードしてテレビ受像機２に出力する。映像デコーダ２０は音声映像データから映像データを取得し、デジタル圧縮された映像データを展開してＲＧＢ信号にデコードする。フレームメモリ２１は映像デコーダ２０から出力されるＲＧＢ信号を１フレーム分格納する。信号変換回路２２はＲＧＢ信号を例えばコンポジットビデオ信号にダウンコンバートしてテレビ受像機２に出力する。
【００３０】
ＨＤドライブ２５は記憶手段であり、ハードディスクやヘッドを備えて構成され、デマルチプレクサ１５で取得された音声映像データをハードディスクに記憶したり、該ハードディスクに記憶された音声映像データを読み取ってテレビ受像機２に向けて出力したりする。ＨＤドライブ２５はデータの読み取り専用のヘッドと、データの書き込み専用のヘッドとを有しており、ハードディスクへのデータの書き込みと、データの読み取りとを併行して行なうことができる構成となっている。この構成により、デジタルＳＴＢ１では、録画中の番組を、該番組の放送から遅れて再生するいわゆる追いかけ再生を行なうことができる。
【００３１】
番組情報復調部１７はデマルチプレクサ１５で分離された番組情報（ＳＩ；Ｓｅｒｖｉｃｅ　Ｉｎｆｏｒｍａｔｉｏｎ）を復調する。メモリ１６は例えばＩＣカードからなる。メモリ１６は番組情報や、第一予約情報、第二予約情報等が記憶される。なお、本明細書では、第一予約情報及び第二予約情報を予約情報と総称する。
【００３２】
ここで、第一予約情報とは、デジタルＳＴＢ１での音声映像データの取得に係る情報である。第一予約情報は、音声映像データの取得開始日時と取得終了日時とを示す取得日時データと、音声映像データの取得の有無が完了したか否かを示す取得有無データと、を含んで構成される。
【００３３】
また、第二予約情報とは、ＨＤドライブ２５に記憶された音声映像データの出力に係る情報である。第二予約情報は、ＨＤドライブ２５に記憶された音声映像データの出力の予約があるか否かを示す出力予約有無データと、該音声映像データの出力開始日時と出力終了日時とを示す出力日時データと、該音声映像データの過去の出力の有無を示す出力有無データと、複数の音声映像データのデジタルＳＴＢ１での出力を予約した場合の個々の音声映像データの出力順序を示す出力順データと、を含んで構成される。
【００３４】
ＯＳＤ処理部１８は予約画面作成手段であり、メモリ１６に記憶された予約情報をもとに図２〜図６に例示する予約表示画面３を作成してテレビ受像機２に向けて出力する。システム制御部２３はＣＰＵ等を備えて構成され、デジタルＳＴＢ１の各構成要素の制御に必要な演算を行なうとともに上記構成要素を制御する。
【００３５】
操作部２４は予約手段及び時間軸設定手段であり、リモートコントローラとして構成される。操作部２４はキーやジョグダイアル（登録商標）といった周知の入力素子を備えており、ユーザがこれらの入力素子を用いてカーソル操作、アイコン指定、数字入力といった操作を行なうことによって、番組の録画、再生を予約するための予約情報の取得や後述する時間軸の時間幅及び起点の設定等を実施できる。ユーザが上記入力素子を用いて入力した事項は、例えば赤外線によってシステム制御部２３に送信される。
【００３６】
本実施形態のデジタルＳＴＢ１では、操作部２４からのチャンネル選択の入力操作に伴ないシステム制御部２３がデスクランブラ１４やデマルチプレクサ１５に制御信号を出力し、該制御信号に基づきデスクランブラ１４やデマルチプレクサ１５で選択チャンネルの音声映像データを抽出して取得する。取得された音声映像データはＨＤドライブ２５のハードディスクに記憶されるか、音声デコーダ１９および映像デコーダ２０でデコードされて、該チャンネルの音声信号や映像信号としてテレビ受像機２に出力される。
【００３７】
また、ＨＤドライブ２５に記憶された音声映像データは、操作部２４による操作によってデマルチプレクサ１５に出力され、音声デコーダ１９および映像デコーダ２０を経てテレビ受像機２によって出力される。
【００３８】
次に、ＯＳＤ処理部１８によって作成され、テレビ受像機２で出力される予約表示画面３について図面を参照して説明する。予約表示画面３は、カレンダー部１００、時計部２００、時間軸設定部４００等を含んで構成される。ここで、図２〜図５の予約表示画面３は、２００２年３月８日（金）午前８時５分に表示されているものとして描図を行なっている。
【００３９】
時計部２００は現在の日付および時刻を表示する。カレンダー部１００は時間軸に規定された領域であり、ユーザが時間軸設定部４００を用いて設定した時間軸に従って予約情報を表示する。
【００４０】
ここで、図２の予約表示画面３は「８日間表示」の１例であり、２００２年３月８日から３月１５日までのほぼ１週間にわたる音声映像データの取得履歴が表示されている。ここでは、３月８日の午前７時から午前７時３０分にかけて放送された教育番組を既に録画し、午前１１時から午前１１時３０分にかけて放送される連続ドラマ（例えば月曜日から土曜日といった連続した日の決まった時刻に放送される形態のドラマ番組）と、午後７時から午後９時にかけて放送されるスポーツ中継の録画を予約しているとともに、３月９日以降については録画予約はしていない場合を例に取って描図を行なっている。
【００４１】
カレンダー部１００は、時間軸によって規定された領域であり、各音声映像データの予約情報を示す番組アイコン１１１、１１１、…が各番組の音声映像データの取得日時データに対応した位置に配置され、表示されている。
【００４２】
「８日間表示」の場合には、カレンダー部１００は縦方向に８個の区画１１０、１１０、…に分割され、上の区画１１０から下の区画１１０に移るに従って後の日付の事項を表示するようにして各区画１１０、１１０、…に日付が振られている。また、区画１１０では、左端を午前０時、右端を午後１２時（翌日の午前０時）に設定し、区画１１０における横方向の位置で時刻を表示することができる。
【００４３】
番組アイコン１１１、１１１、…は、個々の音声映像データに係る予約情報を示す構成要素であり、略矩形の枠を有する。ここで、本明細書において、不特定の番組アイコンを指す場合には、「番組アイコン１１１」と表記し、特定の番組アイコンを指す場合には、適宜ローマ字を付して例えば「番組アイコン１１１ａ」といった表記をする。
【００４４】
番組アイコン１１１の枠の左辺は番組の録画開始時刻を示し、上記枠の右辺は番組の録画終了時刻を示す。例えば午前７時から午前７時３０分にかけて録画された教育番組の属性を示す番組アイコン１１１ａは、３月８日の区画１１０の、午前７時００分に対応する位置に左辺が、午前７時３０分に対応する位置に右辺がそれぞれ設けられて表示される。番組アイコン１１１を上述のような位置、形状で表示することで、番組アイコン１１１はカレンダー部１００の該当する音声映像データの取得日時データに対応した位置に表示される。
【００４５】
また、番組アイコン１１１では、番組情報に基づいて番組の種類を示す文字又は記号が、該当する番組アイコン１１１の形状に応じて表示されている。図２の場合、番組アイコン１１１ａでは、教育番組を示す「教」という文字が表示され、番組アイコン１１１ｂでは連続ドラマを示す「連」という文字が表示され、番組アイコン１１１ｃではスポーツ中継を示す「スポーツ」という文字が表示されている。
【００４６】
さらに、番組アイコン１１１、１１１、…は、枠の形状によって番組の音声映像データの予約情報のうち、取得有無データや出力有無データを表示する。
【００４７】
デマルチプレクサ１５での取得が予約された音声映像データは、取得有無データに関して「視聴／録画予約」又は「録画完了」に区分される。「視聴／録画予約」とは、該当する音声映像データのデマルチプレクサ１５による音声映像データの取得が予約されており、まだ上記音声映像データの取得が開始されていないか、現在取得中の状態を指す。「録画完了」とは、該当する音声映像データのデマルチプレクサ１５による取得が完了し、この音声映像データがＨＤドライブ２５に記憶された状態である。
【００４８】
ＨＤドライブ２５に記憶された音声映像データは、出力有無データに関して「視聴未了」又は「視聴完了」に区分される。「視聴未了」とは、ＨＤドライブ２５に記憶された後、まだ出力されていないか、現在出力中の状態である。「視聴完了」とは、ＨＤドライブ２５に記憶され、且つ出力が完了した状態である。
【００４９】
本実施形態の予約表示画面３では、ＨＤドライブ２５に音声映像データの取得が予約された番組のうち、「録画／視聴予約」の区分の番組を直線状の枠で示す。また、「録画完了」の区分の番組のうち、「視聴未了」の区分の番組を波線の枠で、「視聴完了」の区分の番組を一点鎖線の枠でそれぞれ示す。よって、図２では、午前７時から午前７時３０分にかけて放送された教育番組が波線の枠の番組アイコン１１１ａで表示され、午前１１時から午前１１時３０分にかけて放送される連続ドラマと、午後２時から午後４時にかけて放送される映画がそれぞれ直線状の枠の番組アイコン１１１ｂ、１１１ｃで表示されている。
【００５０】
時間軸設定部４００は複数の時間幅アイコン４１０、４１０、…及び日時アイコン４２０を有して構成される。
【００５１】
時間幅アイコン４１０、４１０、…は、カレンダー部１００に表示される時間軸の時間幅を設定するための構成要素である。個々の時間幅アイコン４１０、４１０、…には例えば「８日間表示」、「本日分表示」、「前日分表示」、「翌日分表示」、「１２時間表示」、「６時間表示」といった項目名が表示されており、ユーザが所望の時間幅アイコン４１０を選択することで、カレンダー部１００に表示される時間幅が指定される。また、日時アイコン４２０は、カレンダー部１００に表示される時間軸の起点を設定するための構成要素である。
【００５２】
図２では、時間幅アイコン４１０には「８日間表示」に対応するものを選択し、日時アイコン４２０で表示する時間の起点を「２００２年３月８日（金）」に設定している。このことで、図２の予約表示画面３では２００２年３月８日（金）から２００２年３月１５日（金）にかけての８日間に音声映像データが取得されたか、取得が予約された番組が表示されている。
【００５３】
ここで、日時アイコン４２０を「２００２年３月３日」に設定した場合には、図３に示すように２００２年３月３日（日）から２００２年３月１０日（日）の８日間に録画されたか、録画／視聴が予約された番組が表示されている。ここでは、３月８日の番組の他に、３月３日の午後０時から午後０時３０分にかけてニュース番組を録画し、３月３日の午後０時３０分から午後２時にかけてドラマ番組を録画したとともに既に再生し、３月４日から３月７日までの毎日、午前１１時から午前１１時３０分にかけて連続ドラマを録画したものとして描図を行なっている。
【００５４】
該当する音声映像データの出力履歴を表示するため、図３では、３月３日、午後０時〜午後０時３０分のニュース番組の番組アイコン１１１ｄ（ニュースを示す「Ｎ」という文字を表示）、及び３月４日から３月７日までの連続ドラマの番組アイコン１１１ｆ、１１１ｇ、１１１ｈ、１１１ｉは、「視聴未了」を示す波線の枠で表示されている。一方、３月３日午後０時３０分〜午後２時のドラマの番組アイコン１１１ｅ（「ドラマ」という文字を表示）は「視聴完了」を示す一点鎖線の枠で表示されている。
【００５５】
図４に示すのは、日時アイコン４２０を「２００２年２月２８日」に設定した場合の予約表示画面３である。ここでは、２月２８日の午前８時から午前９時にかけてドラマ番組が録画され、３月１日、３月２日については番組の録画がなかったか、若しくは番組の音声映像データがハードディスクから消去されたものとして描図を行なっている。２００２年２月２８日から同年３月９日は１０日間となるが、本実施例に係るＯＳＤ処理部１８は、既に経過した日のうち、ハードディスクに音声映像データが記憶されていない日については省略して表示しているので、この場合では１枚の予約表示画面３に上記１０日間の予約情報が表示されている。この様にすることで、例えば１０日や１ヶ月といった過去に遡った音声映像データの予約情報を閲覧することを容易且つ迅速に行なうことができる。
【００５６】
なお、番組アイコン１１１ｆ、１１１ｇ、…に隣接して、「再１」、「再２」、…といった形態の再生設定アイコン５１１ｆ、５１１ｇ、…が表示されているが、この再生設定アイコン５１１ｆ、５１１ｇ、…については後述する。
【００５７】
「本日分表示」、「前日分表示」、「翌日分表示」の時間幅アイコン４１０、４１０、…は２４時間の時間幅に対応している。例えば、「本日分表示」の時間幅アイコン４１０を選択すると、図５に示すように、２００２年３月８日の午前０時から午後１２時までの予約情報が表示される。ここで、午後７時００分から午後９時００分にかけて取得が予約されているスポーツ番組の番組アイコン１１１ｃはカレンダー部１００の割り付けの関係で前後に分断されて表示されている。
【００５８】
「前日分表示」の時間幅アイコン４１０を選択した場合には３月８日の前日である３月７日の午前０時から午後１２時までの予約情報がカレンダー部１００に表示される。そして「翌日分表示」の時間幅アイコン４１０を選択すると、３月９日の午前０時から午後１２時までの予約情報がカレンダー部１００に表示される。
【００５９】
それに加えて、「本日分表示」、「前日分表示」、「翌日分表示」のいずれかの時間幅アイコン４１０を選択した後、日時アイコン４２０で日付を設定することで、任意の年月日の午前０時から午後０時までの間に取得が予約されているか、取得された音声映像データの予約情報を予約表示画面３で表示させることができる。
【００６０】
また、「１２時間表示」の時間幅アイコン４１０を選択し、日時アイコン４２０で「２００２年３月８日６：００ＡＭ」と設定した場合には、図６に示すように２００２年３月８日の午前６時から同日午後６時までの１２時間に音声映像データが取得されたか、取得が予約された番組の予約情報が表示される。さらに、「６時間表示」の時間幅アイコン４１０を選択すると、６時間の時間幅にわたって予約情報が表示される。
【００６１】
再生設定部５００は再生設定アイコン５１１、５１１、…を有して構成される。ここで、本明細書では、不特定の再生設定アイコンを指す場合には、「再生設定アイコン５１１」と表記し、特定の再生設定アイコンを指す場合には、適宜ローマ字を付して「再生設定アイコン５１１ａ」といった表記を行なう。
【００６２】
再生設定アイコン５１１は図６に示すように「再」という文字と数字とを組み合わせて表示され、ユーザが操作部２４を用いて再生する番組を指定した際に、指定された番組の番組アイコン１１１に近接して表示される。ＨＤドライブ２５に記憶された個々の音声映像データの出力予約有無データは該当する番組アイコン１１１に近接して再生設定アイコン５１１が表示されているか否かで表示される。また、音声映像データの出力順データは、該当する番組アイコン１１１に近接して表示される再生設定アイコン５１１において「再」という文字と組み合わされる数字で表示される。
【００６３】
ここで、図４に示すのは、２００２年２日から１０日の間に録画されたか、もしくは録画が予約された複数の番組について、再生の予約を行なった例である。ここでは、３月４日から３月７日までに録画された連続ドラマと、３月８日に録画が予約されている連続ドラマを、日付順に再生する場合を例に取って描図している。
【００６４】
ユーザが操作部２４を用いて、再生する番組、再生開始日時を入力すると、再生が予約された音声映像データに対応する番組アイコン１１１ｆ、１１１ｇ、１１１ｈ、１１１ｉ、１１１ｂに隣接して、再生設定アイコン５１１ｆ、５１１ｇ、５１１ｈ、５１１ｉ、５１１ｂが表示される。ここで、再生設定アイコン５１１を構成する文字のうち、「再」に隣接する数字は再生順を示す。
【００６５】
図４の場合では、３月４日に録画された、番組アイコン１１１ｆに対応する連続ドラマが１番目に再生されるので、番組アイコン１１１ｆに隣接した再生設定アイコン５１１ｆは「再１」という表示となる。そして、再生設定アイコン５１１ｇは「再２」、再生設定アイコン５１１ｈは「再３」と表示され、最後である５番目に再生される３月８日録画予定の連続ドラマに対応する再生設定アイコン５１１ｂは「再５」と表示される。
【００６６】
次に、デジタルＳＴＢ１で番組の視聴、録画を予約した場合のデジタルＳＴＢ１の動作を説明する。
【００６７】
ユーザは操作部２４を操作し、デマルチプレクサ１５によって抽出され、取得される番組情報を周知の方法によってテレビ受像機２に表示させる。ユーザはこうして表示された番組情報を閲覧しながら操作部２４を適宜操作して番組を選択することで番組の視聴又は録画を予約する。この時、視聴又は録画が予約された番組の予約情報が、システム制御部２３によって番組情報から抽出されてメモリ１６に記憶される。
【００６８】
ユーザが操作部２４を操作し、予約表示画面３にテレビ受像機２に映し出されるよう切り換えを行なうと、ＯＳＤ処理部１８は予約表示画面３を作成してテレビ受像機２に出力する。この時、視聴又は録画が予約された番組の予約情報は、直線枠の番組アイコン１１１、１１１、…として、カレンダー部１００の、該当する音声映像データの取得日時データに対応した位置に表示される。
【００６９】
システム制御部２３は、メモリ１６に記憶された予約情報に基づいてチューナ１２、デマルチプレクサ１５、ＨＤドライブ２５といった構成要素を制御する。視聴／録画を予約した番組の取得開始時刻になると、システム制御部２３はチューナ１２やデマルチプレクサ１５を作動させ、予約された番組の音声映像データを取得する。番組の視聴を予約した場合には、システム制御部２３はこの音声映像データをデマルチプレクサ１５から音声デコーダ１９、映像デコーダ２０を介してテレビ受像機２に出力する。一方、番組の録画を予約した場合には、システム制御部２３はＨＤドライブ２５を作動させ、取得された音声映像データをハードディスクに記憶させる。
【００７０】
視聴／録画を予約した番組の取得終了時間になると、システム制御部２３はデマルチプレクサ１５の作動を停止させる。番組の録画を予約した場合には、さらにＨＤドライブ２５の作動を停止させる。こうして１つの番組についての音声映像データの取得が終了する。
【００７１】
番組の視聴を予約した場合には、該番組の音声映像データの取得が終了するとメモリ１６から該番組の予約情報が消去される。上記消去後、テレビ受像機２の画面を予約表示画面３に切り替えた際、ＯＳＤ処理部１８は該音声映像データに対応する番組アイコン１１１を表示せずに予約表示画面３を作成して出力する。
【００７２】
一方、番組の録画を予約した場合には、該番組の音声映像データの取得が終了するとメモリ１６に記憶された該音声映像データの取得有無データは、「視聴／録画予約」から「録画完了」に書き替えられる。上記書き替え後、テレビ受像機２の画面を予約表示画面３に切り替えた際、ＯＳＤ処理部１８は該番組に対応する番組アイコン１１１を、「録画完了」に対応した波線の枠とした予約表示画面３を作成して出力する。
【００７３】
次に、デジタルＳＴＢ１のＨＤドライブ２５に記憶された音声映像データの再生を予約する手順と、上記再生を予約した際のデジタルＳＴＢ１の動作について図７のフローチャートを参照して説明する。
【００７４】
番組の再生の予約の際、ユーザは操作部２４を操作して予約表示画面３をテレビ受像機２に映し出させる。引き続きユーザは必要に応じて操作部２４を操作して時間幅アイコン４１０の選択（Ｓ１、Ｓ２）や、日時アイコン４２０に表示されている日時の設定（Ｓ３、Ｓ４）を行ない、再生を行なう番組の番組アイコン１１１、１１１、…が見易く表示されるよう、カレンダー部１００の時間軸を調整する。
【００７５】
カレンダー部１００の時間軸を調整後、ユーザは操作部２４を適宜操作してカレンダー部１００に表示されている番組アイコン１１１、１１１、…のなかから、視聴を希望する番組アイコン１１１の選択する（Ｓ５）。ユーザが視聴を希望する番組アイコン１１１を選択すると、システム制御部２３は再生が選択された番組の録画が完了しているかどうかを判断する（Ｓ６）。
【００７６】
選択された番組の録画が完了した場合には、ユーザはこの番組について、再生設定を行なうか（Ｓ１５）、削除するか（Ｓ１７）の選択を行なう。再生設定を行なう場合には、ユーザは操作部２４で再生開始日時を入力して再生設定を行なう（Ｓ１６）。このとき、システム制御部２３は、上記再生開始日時と該当する音声映像データの再生時間とに基づいて出力日時データを作成し、メモリ１６に記憶させる。そして再生設定後、ステップＳ９へ移行する。
【００７７】
ステップＳ９で、ユーザは番組選択が完了したか否かの入力を行なう。番組選択が完了していない場合には、ステップＳ１に移行し、ユーザは次の番組の選択を行なう。
【００７８】
一方、番組の選択が完了した場合、システム制御部２３は、既に再生が予約された音声映像データを含め、再生予約が設定された全ての音声映像データについて出力日時データを比較し、再生時間の重なりの有無を調べる（Ｓ１０）。そして、複数の音声映像データについて再生時間の重なりがない場合には、システム制御部２３は各音声映像データの出力開始日時の順番に基づいて出力順データを生成し、各予約情報に付与する（Ｓ１１）。こうして再生予約に係る処理が終了する（Ｓ１２）。
【００７９】
一方、複数の音声映像データについて再生時間の重なりがあった場合には、ステップＳ６に移行する（Ｓ１０）。このとき、ユーザは再生時間の重なりを解消するよう、再生開始時刻を再設定する。
【００８０】
ステップＳ１７で番組の削除をユーザが選択した場合には、システム制御部２３は削除が選択された番組の音声映像データを対応する予約情報とともにハードディスクから消去して削除する。こうして削除すると、ＯＳＤ処理部１８は削除された番組に対応する番組アイコン１１１がカレンダー部１００から消去された予約表示画面３を作成してテレビ受像機２に出力する。
【００８１】
選択された番組の録画が完了していない場合には、まずユーザによって設置された、該当する番組の再生開始時刻と該番組の録画開始時刻とを比較する（Ｓ８）。上記比較の結果、録画開始時刻が再生開始時刻より後の場合には、ステップＳ９に移行する。
【００８２】
一方、該当する番組の再生開始時刻が該番組の録画開始時刻より前の場合には、該番組の再生は現実に不可能なので、ユーザは該当する予約情報の削除を選択（Ｓ１４）してステップ９に移行するか、録画開始時刻を設定し直して（Ｓ１３）ステップＳ６に移行するかする。
【００８３】
一連の再生設定処理が完了した後に予約表示画面３をテレビ受像機２に映し出す時には、ＯＳＤ処理部１８は再生が予約された番組に対応する番組アイコン１１１、１１１、…に隣接して、再生順序すなわち各番組の出力順データに対応した「再１」、「再２」、…と表記された再生設定アイコン５１１、５１１、…が表示された形態の予約表示画面３を作成してテレビ受像機２に出力する。
【００８４】
こうして再生設定処理をした後、音声映像データの再生開始時刻になると、システム制御部２３はＨＤドライブ２５を起動し、再生終了時刻までの間、再生が予約された番組の音声映像データをテレビ受像機２に向けて出力する。予約された番組の音声映像データの出力が完了すると、システム制御部２３は、メモリ１６にアクセスし、出力が完了した音声映像データの出力有無データを「視聴完了」に書き替える。
【００８５】
出力が完了した後、テレビ受像機２に予約表示画面３が映し出されるよう操作部２４を操作すると、ＯＳＤ処理部１８は、出力が完了した音声映像データに対応する番組アイコン１１１を、「視聴完了」を示す一点鎖線の枠で表示するよう予約表示画面３を作成する。このとき、この番組アイコン１１１に対応する再生設定アイコン５１１は表示されない。また、ＯＳＤ処理部１８は出力が完了していない音声映像データに対応する設定アイコン５１１については、「再」の字に隣接して表示する数字が順次若い数字となるようにして予約表示画面３を作成する。
【００８６】
なお、本発明に係るテレビ放送受信装置は、上述の実施例に限らない。本発明に係るテレビ放送受信装置はデジタルＳＴＢ１に限らず、ＤＶＤ−ＲＷ、ＤＶＤ＋ＲＷといったランダムアクセスが可能な記憶媒体にテレビ放送信号から取得された音声映像データを記憶させる形態のいかなる装置にも適用可能である。
【００８７】
また、テレビ放送受信装置により受信されるテレビ放送信号はデジタル信号とは限らず、アナログ信号であってもよい。さらに、ユーザが番組の録画、視聴を予約する際の取得日時データを入力する方法は、例えば操作部２４を用いてＧコード（登録商標）を入力する方法や、ユーザが印刷された番組表を見なが操作部２４のキーを押して入力する方法としてもよい。
【００８８】
なお、本発明に係るテレビ放送受信装置では、予約表示画面において、予約情報のうち、取得有無データ及び出力有無データを番組アイコン１１１の枠の形状でなく、例えば枠の色や地の色などで表示することとしてもよい。また、上記データは、該当する番組アイコン１１１の選択時に、ＯＳＤ表示部１８で新たにウインドウを作成し、このウインドウ内部で表示する構成としてもよい。また、再生設定アイコン５１１の形状、色、表示形式についても設計事項であり、ユーザが音声映像データの出力予約の有無や出力順序を容易に認識できるよう適宜設定される。
【００８９】
なお、本発明に係るテレビ放送受信装置では、複数の番組の音声映像データの取得や出力が同じ時間に重なって設定された場合の、個々の音声映像データの優先順位を含むこととしてもよい。上記優先順位は、ユーザが音声映像データの取得、出力を予約する毎に設定しても良いし、予めユーザがメモリ１６等に入力した優先規準に従ってシステム制御部２３が自動的に設定することとしてもよい。
【００９０】
このことで、ユーザが同じ時間に放送される複数の番組の録画を誤って設定した場合、ユーザにとって重要な番組を優先して録画して、番組の録画に係る失敗を回避することができる。また、複数の音声映像データの再生時間が重なるようにして設定を行なった場合には、この重なった時間では優先順位の高い音声映像データの再生を行なうようにすることで、ユーザが再生時間を再設定する煩雑さを解消することができる。
【００９１】
なお、本発明に係るテレビ放送受信装置は、予約手段及び時間軸設定手段として、リモートコントローラではなく、例えばマウスやトラックボール（登録商標）といった周知の他の形態の入力装置を備える構成としてもよい。
【００９２】
【発明の効果】
本発明によれば、音声映像データの予約情報をユーザが容易に目視できるようにすることで、音声映像データの再生や整理を容易且つ正確に行なうことができる。特に、音声映像データの過去の出力の有無を容易に目視できるようにすることで、音声映像データの再生や整理をさらに容易にすることができる。
【００９３】
それに加えて、本発明に係るテレビ放送受信装置では、１度に複数の音声映像データの再生を、個々の音声映像データの再生順序を指定して予約できるとともに、上記再生順序が容易に目視できるように表示されるので、例えば、ドラマ番組の様な内容の連続した番組を容易に視聴することができる。
【００９４】
これらのことにより、本発明によれば、テレビ放送受信装置により音声映像データが取得された番組の視聴や、記憶媒体に記憶された音声映像データの整理を容易に行なうことができる。
【図面の簡単な説明】
【図１】本発明に係るデジタルＳＴＢ１の構成の概略を示すブロック図である。
【図２】デジタルＳＴＢ１のＯＳＤ処理部１８が作成する「８日間表示」の予約表示画面３の１例を示す図である。
【図３】「８日間表示」の予約表示画面３の別の例を示す図である。
【図４】複数の番組の再生が予約された状態における予約表示画面３の１例を示す図である。
【図５】「本日分表示」の予約表示画面３の一例を示す図である。
【図６】「１２時間分表示」の予約表示画面３の一例を示す図である。
【図７】デジタルＳＴＢ１で記憶された音声映像データの再生の予約や音声映像データの削除を行なう際の処理手順を示すフローチャートである。
【符号の説明】
１　　　　　　　　　　デジタルＳＴＢ
２　　　　　　　　　　テレビ受像機
３　　　　　　　　　　予約表示画面
１２　　　　　　　　チューナ
１５　　　　　　　　デマルチプレクサ
１６　　　　　　　　メモリ
１８　　　　　　　　ＯＳＤ処理部
１９　　　　　　　　音声デコーダ
２０　　　　　　　　映像デコーダ
２３　　　　　　　　システム制御部
２４　　　　　　　　操作部
２５　　　　　　　　ＨＤドライブ
１００　　　　　　　　　　　　カレンダー部
１１１、１１１ａ、…番組アイコン
２００　　　　　　時計部
４００　　　　　　　　　　　　時間軸設定部
４１０　　　　　　　　　　　　時間幅アイコン
４２０　　　　　　　　　　　　日時アイコン
５００　　　　　　　　　　　　再生設定部
５１１、５１１ａ、…再生設定アイコン
【図１】
2004048613.tif 000003
【図２】
2004048613.tif 000004
【図３】
2004048613.tif 000005
【図４】
2004048613.tif 000006
【図５】
2004048613.tif 000007
【図６】
2004048613.tif 000008
【図７】
2004048613.tif 000009